(57)【要約】【課題】布団のカバーの上面と下面とを縫い合わせた糸を確実に切断して、布団の解体作業を容易に行うことを可能とする布団解体装置を提供する。【解決手段】布団解体装置１は装置本体３と装置本体３に設置されかつ布団３の厚み方向の中央部を切断する切断部５と布団２をこの布団２の長手方向に沿って移動させる移動部４とを備えている。切断部５は一対の切断刃２９を備えている。移動部４は搬送コンベア９とクランプコンベア１０を備えている。移動部４は搬送コンベア９とクランプコンベア１０との間に布団２を挟んで当該布団２を移動する。【選択図】図１
2008272243.tif 000002
【特許請求の範囲】
【請求項１】
布団が置かれる装置本体と、
前記装置本体に設置されかつ前記布団の厚み方向の中央部を切断する切断部と、
前記布団と前記切断部とを一方向に沿って相対的に移動させる移動手段と、を備えたことを特徴とする布団解体装置。
【請求項２】
前記移動手段が、前記布団の長手方向に沿って、当該布団を移動させる構成となっていることを特徴とする請求項１記載の布団解体装置。
【請求項３】
前記移動手段が、前記布団の厚み方向に沿って互いの間に前記布団を挟み込んで、当該布団を移動させる互いに平行な一対のベルトコンベアを備えたことを特徴とする請求項１又は請求項２記載の布団解体装置。
【請求項４】
前記移動手段が、前記一対のベルトコンベアを互いに接離自在に設けた移動支持部と、前記一対のベルトコンベアを互いに離れる方向に付勢する第１付勢手段と、前記一対のベルトコンベアを互いに近づく方向に付勢する第２付勢手段と、を備えたことを特徴とする請求項３記載の布団解体装置。
【請求項５】
前記移動手段が、前記一対のベルトコンベアを互いに接離自在に設けた移動支持部と、前記一対のベルトコンベアを互いに離れる方向に付勢する第１付勢手段と、前記一対のベルトコンベアのうちの一方と当接して、この当接した位置よりも一対のベルトコンベアが互いに離れることを規制する離間規制手段と、を備えたことを特徴とする請求項３記載の布団解体装置。
【請求項６】
前記切断部が、円板状に形成され、両表面が前記布団の表面に沿って配置されているとともに、駆動源からの駆動力により回転することで前記布団の厚み方向の中央部を切断する切断刃を備えたことを特徴とする請求項１乃至請求項５のうちいずれか一項に記載の布団解体装置。
【請求項７】
前記切断部が、前記切断刃を互いの間に前記布団を位置付ける位置に少なくとも一対設けたことを特徴とする請求項６記載の布団解体装置。
【発明の詳細な説明】
【技術分野】
【０００１】
本発明は、例えば、布団のカバーと中綿とを容易に分離可能とする布団解体装置に関する。
【背景技術】
【０００２】
一般に寝具として用いられる布団は、袋状のカバー内に中綿が収容されて構成されている。また、布団は、その外形を扁平に保つために、そのカバーの上面と下面とが種々のパターンで縫い合わされている。
【０００３】
このため、カバーと中綿とを分離して、布団を解体するためには、前述したカバーの上面と下面とを縫い合わせた糸を作業員が手作業で適宜切断した後、当該布団を切断して、カバーと中綿とを分離していた。
【発明の開示】
【発明が解決しようとする課題】
【０００４】
前述したカバーの上面と下面とを縫い合わせた糸は、従来から種々のパターンでこれらのカバーの上面と下面とを縫い合わせてきた。このため、前述した糸を切断する作業を機械化することが困難で、作業員が手作業で行っていた。このために、前述した糸の切断忘れが生じて、速やかにカバーと中綿を分離することができないことがあった。即ち、布団の解体作業を容易に行うことが困難であった。
【０００５】
本発明の目的は、例えば、布団のカバーの上面と下面とを縫い合わせた糸を確実に切断して、布団の解体作業を容易に行うことを可能とする布団解体装置を提供することにある。
【課題を解決するための手段】
【０００６】
前記課題を解決し目的を達成するために、請求項１に記載の本発明の布団解体装置は、布団が置かれる装置本体と、前記装置本体に設置されかつ前記布団の厚み方向の中央部を切断する切断部と、前記布団と前記切断部とを一方向に沿って相対的に移動させる移動手段と、を備えたことを特徴としている。
【発明を実施するための最良の形態】
【０００７】
以下、本発明の一実施形態にかかる布団解体装置を説明する。本発明の一実施形態にかかる布団解体装置は、布団の厚み方向の中央部を切断する切断部と布団とを移動手段が相対的に移動するので、この移動方向の全長に亘って、布団の厚み方向の中央部を切断部が切断するようにして、布団のカバーの上面と下面とを縫い合わせた糸を確実に切断することを可能としている。こうすることで、布団解体装置は、カバーと中綿とを容易に分離することを可能として、布団の解体作業を容易に行うことができる。
【０００８】
また、移動手段が、布団の長手方向に沿って当該布団を移動させるようにしても良い。この場合、切断部を布団の幅方向の縁の近傍に配置することで、当該切断部が布団のカバーの上面と下面とを縫い合わせた糸を確実に切断することができる。
【０００９】
さらに、移動手段が、布団の厚み方向に沿って互いの間に布団を挟んで、当該布団を移動させるベルトコンベアを一対備えても良い。この場合、布団をその厚み方向に沿って位置決めできるので、布団の厚み方向の中央部を切断部で確実に切断できる。
【００１０】
移動手段が、一対のベルトコンベアを接離自在に支持する移動支持部と、一対のベルトコンベアを互いに離れる方向に付勢する第１付勢手段と、一対のベルトコンベアを互いに近づく方向に付勢する第２付勢手段とを備えても良い。この場合、第１付勢手段によって一対のベルトコンベア間に間隔が生じるので、布団を一対のベルトコンベア間に容易に挿入できる。また、第２付勢手段によって一対のベルトコンベア同士が近づけられるので、一対のベルトコンベア間に布団を確実に挟持でき、一対のベルトコンベア即ち移動手段によって、布団を確実に移動できる。
【００１１】
移動手段は、前述した移動支持部と第１付勢手段とに加えて、一対のベルトコンベアが最も離れた位置よりも互いに離れることを規制する離間規制手段を備えても良い。この場合、一対のベルトコンベアが必要以上に離れることを防止できるので、一対のベルトコンベア間に布団を確実に挟持でき、一対のベルトコンベア即ち移動手段によって、布団を確実に移動できる。
【００１２】
切断部が、両表面が布団の表面に沿って配置された円板状の切断刃を備えても良い。この場合、切断部が、布団の厚み方向の中央部を確実に切断できる。
【００１３】
切断部が、切断刃を互いの間に布団を位置付ける位置に一対設けてもよい。この場合、布団の幅方向の全長に亘って確実に布団を切断でき、全ての糸を確実に切断できる。
【実施例１】
【００１４】
本発明の第１の実施例を、図１ないし図４に基づいて説明する。図１に示す布団解体装置１は、長手方向に沿って切断されて、例えば、幅が３７５ｍｍの短冊形状に形成された布団２のカバー２ａの上面と下面との双方に縫い付けられた糸を切断して、カバー２ａと、中綿２ｂとを分離するための装置である。
【００１５】
布団解体装置１は、図１に示すように、装置本体３と、移動手段としての移動部４と、装置本体３に設置された切断部５と、制御手段としての図示しない制御装置とを備えている。装置本体３は、テーブル部６と、図１中に二点鎖線で示すカバー７とを備えている。テーブル部６は、工場のフロア上などに設置されて、その上面が平坦に形成されている。カバー７は、テーブル部６の上方を覆う状態で、当該テーブル部６に取り付けられている。装置本体３は、移動部４の後述する搬送コンベア９上に布団２が置かれることで、当該搬送コンベア９を介して布団２が置かれる。また、カバー７には、カバー７の内側の埃などを吸い込む集じん用のダクト８が取り付けられている。
【００１６】
移動部４は、図２及び図３に示すように、ベルトコンベアとしての搬送コンベア９と、ベルトコンベアとしてのクランプコンベア１０と、移動支持部１１と、第１付勢手段としてのコイルばね１２と、第２付勢手段としての錘１３とを備えている。
【００１７】
搬送コンベア９は、図４に示すように、装置本体３に固定されたコンベア本体１５と、一対の搬送ガイド１６と、このコンベア本体１５に回転自在に支持されて一方が駆動源としてのモータ１７により回転駆動される一対のプーリ１８と、無端ベルト１９とを備えている。コンベア本体１５は、その平面形状が矩形状に形成され、テーブル部６の上面に取り付けられている。また、コンベア本体１５は、その両端部がテーブル部６の端から外側に突出して配置されている。さらに、コンベア本体１５には、複数のフランジ２０が一体に設けられている。図示例では、フランジ２０は、四つ設けられている。フランジ２０は、コンベア本体１５の外縁部のうちの長辺部各々から凸に形成され、コンベア本体１５の長手方向に沿って間隔をあけて配置されている。
【００１８】
搬送ガイド１６は、それぞれ、コンベア本体１５の幅方向の両端から立設して、互いに平行に設けられている。搬送ガイド１６は、コンベア本体１５の全長に亘って設けられている。搬送ガイド１６は、無端ベルト１９上から布団２が脱落することを規制する。
【００１９】
プーリ１８は、互いに平行に配置されているとともに、コンベア本体１５の長手方向の両端に設けられている。プーリ１８の長手方向は、コンベア本体１５の長手方向と直交している。無端ベルト１９は、無端環（輪）状に形成されて、一対のプーリ１８に掛け渡されている。無端ベルト１９は、モータ１７によりプーリ１８が回転駆動されると、これらのプーリ１８の外周を循環走行する。また、無端ベルト１９は、その上面が平坦に形成されている。搬送コンベア９の無端ベルト１９は、その上面に布団２が載置される。このとき、勿論、搬送コンベア９の長手方向と布団２の長手方向とは、平行になる。
【００２０】
クランプコンベア１０は、図２に示すように、コンベア本体２１と、このコンベア本体２１に回転自在に支持されて一方が図示しない駆動源としてのモータにより回転駆動される一対のプーリ２２と、無端ベルト２３とを備えている。コンベア本体２１は、その平面形状が矩形状に形成されている。コンベア本体２１は、搬送コンベア９の上方に配置され、移動支持部１１によって、搬送コンベア９に接離自在（近づいたり離れることをいう）に設けられている。コンベア本体２１は、その長手方向が搬送コンベア９のコンベア本体１５と平行に配置されている。クランプコンベア１０のコンベア本体２１は、搬送コンベア９のコンベア本体１５よりも短く形成されている。
【００２１】
また、コンベア本体２１には、複数のフランジ２４が一体に設けられている。図示例では、フランジ２４は、四つ設けられている。フランジ２４は、コンベア本体２１の外縁部のうちの長辺部各々から凸に形成され、コンベア本体２１の長手方向に沿って間隔をあけて配置されている。また、クランプコンベア１０のフランジ２４と、搬送コンベア９のフランジ２０とは、搬送コンベア９上に配置される布団２の厚み方向即ち鉛直方向に沿って並ぶ位置に配置されている。
【００２２】
プーリ２２は、互いに平行に配置されているとともに、コンベア本体２１の長手方向の両端に設けられている。プーリ２２の長手方向は、コンベア本体２１の長手方向と直交している。無端ベルト２３は、無端環（輪）状に形成されて、一対のプーリ２２に掛け渡されている。無端ベルト２３は、モータによりプーリ２２が回転駆動されると、これらのプーリ２２の外周を循環走行する。また、無端ベルト２３は、その下面が平坦に形成されている。
【００２３】
また、搬送コンベア９の無端ベルト１９の上面とクランプコンベア１０の無端ベルト２３の下面とは、互いに間隔をあけて平行に配置されている。また、搬送コンベア９と、クランプコンベア１０とは、搬送コンベア９上の布団２の厚み方向に沿って互いに間隔をあけて配置されている。搬送コンベア９とクランプコンベア１０とは、互いの間に布団２を挟み込んで、モータ１７がプーリ１８，２２を回転駆動して、無端ベルト１９，２３を循環走行することで、布団２をその長手方向に沿って移動させる。このように、移動手段としての移動部４は、布団２の長手方向に沿って、当該布団２を移動させる構成となっており、布団２を移動させることで、布団２の長手方向（特許請求の範囲の一方向に相当）に沿って、布団２と切断部５とを相対的に移動させる。
【００２４】
移動支持部１１は、図４に示すように、複数の立設軸２５と、複数の通し孔２６とを備えている。立設軸２５は、図示例では、四つ設けられている。立設軸２５は、円柱状に形成され、搬送コンベア９のフランジ２０から鉛直方向に沿って立設している。
【００２５】
通し孔２６は、図示例では、四つ設けられている。通し孔２６は、平面形状が丸形に形成されて、クランプコンベア１０のフランジ２４を貫通している。通し孔２６の内径は、立設軸２５の外径よりも若干大きい。通し孔２６内には、立設軸２５が侵入可能である。
【００２６】
移動支持部１１は、通し孔２６内に立設軸２５が侵入して、当該通し孔２６内で立設軸２５がその長手方向に沿って移動することで、搬送コンベア９に対してクランプコンベア１０が接離するように、移動自在に支持されている。即ち、移動支持部１１は、搬送コンベア９とクランプコンベア１０とを互いに接離自在に設けている。
【００２７】
コイルばね１２は、図示例では、４つ設けられている。コイルばね１２は、図４に示すように、内側に立設軸２５を通して、搬送コンベア９のフランジ２０とクランプコンベア１０のフランジ２４との間に配置されている。コイルばね１２は、その弾性復元力によって、クランプコンベア１０を搬送コンベア９から離れる方向に付勢する。このように、コイルばね１２は、搬送コンベア９とクランプコンベア１０とを互いに離れる方向に付勢する。
【００２８】
錘１３は、図示例では、四つ設けられている。錘１３は、肉厚の円筒状に形成されている。錘１３は、立設軸２５を内側に通して、クランプコンベア１０のフランジ２４上に設けられる。錘１３は、その自身に作用する重力によって、フランジ２４即ちクランプコンベア１０を搬送コンベア９に近づける。このように、錘１３は、その自身に作用する重力によって、搬送コンベア９とクランプコンベア１０とを互いに近づく方向に付勢する。
【００２９】
切断部５は、一対の切断ユニット２７を備えている。切断ユニット２７は、搬送コンベア９即ち布団２の幅方向に沿って間隔をあけて配置され、互いの間に搬送コンベア９即ち布団２を位置付けている。このため、切断部５が、後述する切断刃２９を、互いの間に前記布団２を位置付ける位置に一対設けている。また、一対の切断ユニット２７は、切断刃２９が互いに干渉しないように、搬送コンベア９の長手方向に沿って位置ずれしている。
【００３０】
切断部５は、駆動源としてのモータ２８と、円板状の切断刃２９とを備えている。モータ２８は、装置本体３のテーブル部６の上面上に設置されている。モータ２８は、その出力軸が鉛直方向と平行に配置されている。切断刃２９は、円板状に形成されて、その中心がモータ２８の出力軸に取り付けられている。切断刃２９は、その両表面が水平方向即ちコンベア９，１０間の布団２の表面に沿って配置されて、その外縁部が搬送コンベア９と、クランプコンベア１０との間に侵入する。一対の切断ユニット２７の切断刃２９は、モータ２８によって回転されることで、その外縁部でコンベア９，１０間の布団２の厚み方向の中央部（本実施例では、厚み方向の略中央）を切断する。また、一対の切断ユニット２７の切断刃２９は、それそれ、布団２の幅方向の半分以上を切断可能な大きさとなっている。
【００３１】
制御装置は、周知のＲＡＭ、ＲＯＭ、ＣＰＵなどを備えたコンピュータであってぜ、前述した移動部４と切断部５などを制御して、布団解体装置１全体の制御をつかさどる。
【００３２】
また、布団解体装置１は、装置本体３のテーブル部６の移動部４による布団２の移動方向の上流側の縁部には、導入検出部３０が設けられている。導入検出部３０は、搬送コンベア９の幅方向に沿って互いに間隔をあけて配置され、互いの間に搬送コンベア９を位置付けた一対の立設柱３１と、レーザダイオード（以下ＬＤと記す）３２と、ホトダイオード（以下ＰＤと記す）とを備えている。
【００３３】
立設柱３１は、それぞれ、テーブル部６の外縁から立設している。ＬＤ３２は、一方の立設柱３１に他方の立設柱３１に向かってレーザを出射するように取り付けられている。ＬＤ３２は、立設柱３１の長手方向に沿って、間隔をあけて配置されている。ＰＤは、他方の立設柱３１に一方の立設柱３１と相対して設けられている。ＰＤは、立設柱３１の長手方向に沿って、間隔をあけて配置されて、ＬＤ３２からのレーザを受光する。導入検出部３０は、ＬＤ３２からのレーザをＰＤが受光できないことを検出することで、搬送コンベア９とクランプコンベア１０との間に布団２が挿入されたことを検出して、検出した結果を制御装置に向かって出力する。
【００３４】
前述した布団解体装置１を用いて、以下のように、布団２を解体する。まず、布団２を、例えば幅が３７５ｍｍなどの短冊状となるように、長手方向に沿って切断しておく。また、錘１３の質量を適宜変更して、搬送コンベア９とクランプコンベア１０との間隔を適宜調整しておく。そして、布団解体装置１を起動して、布団２を順に搬送コンベア９とクランプコンベア１０との間に挿入する。
【００３５】
すると、搬送コンベア９とクランプコンベア１０との間に挿入された布団２がＬＤ３２からのレーザを遮って、導入検出部３０が、布団２が挿入されたことを検出すると、制御装置が、搬送コンベア９のモータ１７とクランプコンベア１０のモータを駆動するとともに、切断ユニット２７のモータ１７を駆動して、無端ベルト１９，２３を循環走行させるとともに、切断刃２９を回転させる。そして、布団２を搬送コンベア９の長手方向に沿って移動させる。
【００３６】
すると、切断刃２９によって、布団２の厚み方向の中央部が切断されて、勿論、カバー２ａの上面と下面とを縫い付けた糸を切断する。そして、布団２が搬送コンベア９の端に位置付けられると、布団２の厚み方向の中央部即ち糸が完全に切断される。そして、作業員が、搬送コンベア９から排出された布団２を作業台上に設けて、当該布団２のカバー２ａと中綿２ｂとを分離する。そして、カバー２ａを廃棄し、中綿２ｂを再利用する。
【００３７】
本実施例によれば、布団２の厚み方向の中央部を切断する切断部５と布団２とを移動部４が相対的に移動させるので、この移動方向の全長に亘って、布団２の厚み方向の中央部を切断部５が切断できる。このため、布団２のカバー２ａの上面と下面とを縫い合わせた糸を確実に切断することができる。したがって、布団解体装置１は、カバー２ａと中綿２ｂとを容易に分離することを可能として、布団２の解体作業を容易に行うことができる。
【００３８】
また、移動部４が、布団２の長手方向に沿って当該布団２を移動させる。このため、切断部５を布団２の幅方向の縁の近傍に配置することで、当該切断部５が布団２のカバー２ａの上面と下面とを縫い合わせた糸を確実に切断することができる。
【００３９】
さらに、移動部４が、布団２の厚み方向に沿って互いの間に布団２を挟んで、当該布団２を移動させる搬送コンベア９とクランプコンベア１０とを備えている。このため、布団２をその厚み方向に沿って位置決めできるので、布団２の厚み方向の中央部を切断部５で確実に切断できる。
【００４０】
移動部４が、搬送コンベア９とクランプコンベア１０とを接離自在に支持する移動支持部１１と、搬送コンベア９とクランプコンベア１０とを互いに離れる方向に付勢するコイルばね１２と、搬送コンベア９とクランプコンベア１０とを互いに近づく方向に付勢する錘１３とを備えている。このため、コイルばね１２によって搬送コンベア９とクランプコンベア１０との間に間隔が確実に生じるので、布団２を搬送コンベア９とクランプコンベア１０との間に容易に挿入できる。また、錘１３によって搬送コンベア９とクランプコンベア１０とが互いに近づけられるので、搬送コンベア９とクランプコンベア１０との間に布団２を確実に挟持でき、搬送コンベア９及びクランプコンベア１０即ち移動部４によって、布団２を確実に移動できる。さらに、互いに逆向きに搬送コンベア９及びクランプコンベア１０を付勢するコイルばね１２と錘１３を備えているので、錘１３の質量やコイルばね１２のばね定数などを適宜変更することで、中立状態での搬送コンベア９とクランプコンベア１０との間隔を適宜変更でき、種々の厚みの布団２を解体することができる。
【００４１】
切断部５が、両表面が布団２の表面に沿って配置された円板状の切断刃２９を備えている。このため、切断部５が、布団２の厚み方向の中央部を確実に切断できる。
【００４２】
切断部５が、切断刃２９を互いの間に布団２を位置付ける位置に一対設けている。このため、布団２の幅方向の全長に亘って確実に布団２の厚み方向の中央部を切断でき、全ての糸を確実に切断できる。
【実施例２】
【００４３】
次に、本発明の第２の実施例を、図５に基づいて説明する。なお、前述した第１の実施例と同一部分には、同一符号を付して説明を省略する。
【００４４】
本実施例では、移動部４は、全ての立設軸２５の外周面にねじ溝を形成している。移動部４は、図５に示すように、第２の付勢手段としての錘１３の代わりに離間規制手段としてのナット１４を備えている。
【００４５】
ナット１４は、図示例では、勿論、四つ設けられている。ナット１４は、立設軸２５の外周面に形成されたねじ溝が内側にねじ込まれて、当該立設軸２５に取り付けられる。ナット１４は、立設軸２５に取り付けられると、クランプコンベア１０のフランジ２４と当接可能となる（干渉する）。ナット１４は、クランプコンベア１０のフランジ２４と当接して、このクランプコンベア１０が搬送コンベア９から離れ過ぎることを規制する。このため、ナット１４が、クランプコンベア１０のフランジ２４と当接する位置が、搬送コンベア９とクランプコンベア１０とが互いに最も離れた位置となる。このため、勿論、ナット１４は、搬送コンベア９とクランプコンベア１０とのうちのクランプコンベア１０と当接して、この当接した位置よりも、搬送コンベア９とクランプコンベア１０が互いに離れることを規制する。さらに、ナット１４は、立設軸２５へのねじ込み量が適宜変更されることで、最も離れた状態の搬送コンベア９とクランプコンベア１０との間隔を適宜変更する。
【００４６】
本実施例の布団解体装置１は、前述した第１の実施例と同様に、布団２を解体する。なお、本実施例においては、錘１３の質量を適宜変更する変わりに、布団２の解体作業の前に、ナット１４の立設軸２５に対するねじ込み量を適宜調整して、搬送コンベア９とクランプコンベア１０との間隔を適宜調整しておく。
【００４７】
本実施例によれば、前述した第１の実施例に加えて、移動部４が錘１３の代わりに搬送コンベア９とクランプコンベア１０とが最も離れた位置よりも互いに離れることを規制するナット１４を備えているため、搬送コンベア９とクランプコンベア１０とが必要以上に離れることを防止できる。よって、搬送コンベア９とクランプコンベア１０との間に布団２を確実に挟持でき、搬送コンベア９及びクランプコンベア１０即ち移動部４によって、布団２を確実に移動できる。
【００４８】
前述した第１及び第２の実施例によれば、布団２を移動することで、布団２と切断刃２９とを相対的に移動させている。しかしながら、本発明では、切断刃２９のみを移動させても良く、布団２と切断刃２９との双方を移動させても良い。要するに、本発明では、布団２と切断刃２９とのうちの少なくとも一方を移動させて、布団２と切断刃２９とを相対的に移動させれば良い。
【００４９】
また、前述した第１及び第２の実施例では、切断ユニット２７即ち切断刃２９を一対設けている。しかしながら、本発明では、切断ユニット２７即ち切断刃２９を一つのみ又は三つ以上即ち幾つ設けても良い。さらに、本発明では、移動部４と切断部５と離間規制手段の構成を種々変更しても良いことは勿論である。
【００５０】
さらに、前述した第１及び第２の実施例では、クランプコンベア１０を移動させることで、コンベア９，１０を互いに接離している。しかしながら、本発明では、搬送コンベア９のみを移動させても良く、コンベア９，１０の双方を移動させても良い。要するに、本発明では、コンベア９，１０のうちの少なくとも一方を移動させて、これらを接離させればよい。勿論、ナット１４などの離間規制手段をコンベア９，１０のうちの少なくとも一方に当接させればよい。
【００５１】
前述した実施例によれば、以下の布団解体装置１が得られる。
【００５２】
（付記）  布団２が設けられる装置本体３と、
前記装置本体３に設置されかつ前記布団２の厚み方向の中央部を切断する切断部５と、
前記布団２と前記切断部５とを一方向に沿って相対的に移動させる移動手段４と、を備えたことを特徴とする布団解体装置１。
【００５３】
付記によれば、布団２の厚み方向の中央部を切断する切断部５と布団２とを移動部４が相対的に移動させるので、この移動方向の全長に亘って、布団２の厚み方向の中央部を切断部５が切断できる。このため、布団２のカバー２ａの上面と下面とを縫い合わせた糸を確実に切断することができる。したがって、布団解体装置１は、カバー２ａと中綿２ｂとを容易に分離することを可能として、布団２の解体作業を容易に行うことができる。
【００５４】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５５】
【図１】本発明の第１の実施例にかかる布団解体装置の斜視図である。
【図２】図１に示された布団解体装置の移動部と切断部の斜視図である。
【図３】図２に示された布団解体装置の移動部と切断部の平面図である。
【図４】図３中のＩＶ−ＩＶ線に沿う断面図である。
【図５】本発明の第２の実施例にかかる布団解体装置の要部の断面図である。
【符号の説明】
【００５６】
１  布団解体装置
２  布団
３  装置本体
４  移動部（移動手段）
５  切断部
９  搬送コンベア（ベルトコンベア）
１０  クランプコンベア（ベルトコンベア）
１１  移動支持部
１２  コイルばね（第１付勢手段）
１３  錘（第２付勢手段）
１４  ナット（離間規制手段）
２９  切断刃
【図１】
2008272243.tif 000003
【図２】
2008272243.tif 000004
【図３】
2008272243.tif 000005
【図４】
2008272243.tif 000006
【図５】
2008272243.tif 000007